(57)【特許請求の範囲】
【請求項１】
クリーナカバー体（１０）に、外気に下向きに開口する吸込口（５０）とエンジン（Ｅ）の吸気ポート（Ｅｐ）に連通する排出口（１６）を設けると共にその内部に、吸込口（５０）より吸い込んだ外気を清浄化するクリーナエレメントユニット（Ｕｅ）を収容してしてなる、エンジンのエアクリーナにおいて、
前記吸込口（５０）の近傍にあって該吸込口（５０）を取り囲む、クリーナカバー体（１０）のスカート壁（１１ａ）は、該吸込口（５０）の下端開口縁よりも下方に延長され、
更にその延長部と前記吸込口（５０）との間でクリーナカバー体（１０）には、下端が該吸込口（５０）の下端開口縁よりも下方に延びて該吸込口（５０）の周方向の一部を取り囲む遮蔽壁（５３）が設けられていて、この遮蔽壁（５３）と前記スカート壁（１１ａ）の前記延長部とにより、相互間が下方開放の空隙（５４）を存して対面し且つ該吸込口（５０）の下端開口縁よりも下方に延びる二重壁が該吸込口（５０）の周方向の一部に沿って形成されており、
前記吸込口（５０）は、その中心（５０ｃ）に対してクリーナカバー体（１０）の中心（１０ｃ）側に向けて広がる広がり部（５０ａ）を有して、クリーナカバー体（１０）内に向けて上方に延長される吸気筒（５１）が一体に連接されると共に、該吸気筒（５１）が、前記吸込口（５０）側の入口からその上端の出口に向かって徐々に絞られており、
前記遮蔽壁（５３）の一部は、前記吸気筒（５１）の下方延長線に沿って下方に延びていることを特徴とする、エンジンのエアクリーナ。
【請求項２】
前記遮蔽壁（５３）は、前記スカート壁（１１ａ）の前記延長部と並列するように、前記吸込口（５０）の外側開口縁に沿って設けられ、さらに前記吸込口（５０）から離間する方向に延長されて、吸込口（５０）を両側から覆うように湾曲形成されていることを特徴とする、前記請求項１記載のエンジンのエアクリーナ。
【発明の詳細な説明】
【技術分野】
【０００１】
本発明は、エンジン、特に汎用エンジンに設けられたクリーナカバー体の外面を流れ落ちる雨滴の吸込みを防止するようにしたエアクリーナに関する。
【背景技術】
【０００２】
一般に、エンジン駆動式作業機では、屋外で使用されることが多く、しかもエンジンの吸気系に接続されるエアクリーナは、大気中に露出した状態にあるため、クリーナカバー体の外壁を伝わって流れる落ちる雨滴が、エンジンの吸気負圧をうけてエアクリーナ内に吸い込まれる不都合を招くことが考えられる。
【０００３】
そこで、従来、エアクリーナに雨天キャップを設け、これにより雨水のエアクリーナ内への侵入を防止するようにしたものが知られている（たとえば、特許文献１参照）。
【特許文献１】実公昭６３−１１３２２号公報
【発明の開示】
【発明が解決しようとする課題】
【０００４】
ところが、上記特許文献１に開示されるものでは、エアクリーナに設けた雨天キャップに円錐斜面部を設け、そこに特殊形状の多数の吸込口を穿設するとともにそれらの吸込口に周壁を設けるなど複雑な構造に形成されるので、コスト高になるばかりでなく、吸気の流量の多い場合には、雨水の吸込防止策として不充分である。
【０００５】
本発明はかかる実情に鑑みてなされたものであり、在来のエアクリーナに僅かな改良を加えるだけで、エアクリーナ内への雨滴などの水滴の侵入を的確に阻止することができるようにした、新規なエンジンのエアクリーナを提供することを目的とする。
【課題を解決するための手段】
【０００６】
前記目的を達成するために、請求項１の発明は、クリーナカバー体に、外気に下向きに開口する吸込口とエンジンの吸気ポートに連通する排出口を設けると共にその内部に、吸込口より吸い込んだ外気を清浄化するクリーナエレメントユニットを収容してしてなる、エンジンのエアクリーナにおいて、前記吸込口の近傍にあって該吸込口を取り囲む、クリーナカバー体のスカート壁は、該吸込口の下端開口縁よりも下方に延長され、更にその延長部と前記吸込口との間でクリーナカバー体には、下端が該吸込口の下端開口縁よりも下方に延びて該吸込口の周方向の一部を取り囲む遮蔽壁が設けられていて、この遮蔽壁と前記スカート壁の前記延長部とにより、相互間が下方開放の空隙を存して対面し且つ該吸込口の下端開口縁よりも下方に延びる二重壁が該吸込口の周方向の一部に沿って形成されており、前記吸込口は、その中心に対してクリーナカバー体の中心側に向けて広がる広がり部を有して、クリーナカバー体内に向けて上方に延長される吸気筒が一体に連接されると共に、該吸気筒が、前記吸込口側の入口からその上端の出口に向かって徐々に絞られており、前記遮蔽壁の一部は、前記吸気筒の下方延長線に沿って下方に延びていることを特徴としている。
【０００７】
さらに、前記目的を達成するために、請求項２の発明は、前記請求項１のものにおいて、前記遮蔽壁は、前記スカート壁の前記延長部と並列するように、前記吸込口の外側開口縁に沿って設けられ、さらに前記吸込口から離間する方向に延長されて、吸込口を両側から覆うように湾曲形成されていることを特徴としている。
【発明の効果】
【０００８】
本発明によれば、吸込口の近傍にあって該吸込口を取り囲む、クリーナカバー体のスカート壁が、吸込口の下端開口縁よりも下方に延長されるので、吸気負圧による水滴の吸込口への引き寄せを防止することができ、従って、従来のエアクリーナに僅かな改良を加えるだけで、クリーナカバー体の外面を流れ落ちる雨滴などの水滴が、吸込口を通してエアクリーナ内へ侵入するのを防止することができる。
【０００９】
更にそのスカート壁延長部と吸込口との間には、下端が吸込口の下端開口縁よりも下方に延びて吸込口を取り囲む遮蔽壁が設けられていて、この遮蔽壁とスカート壁延長部とにより、相互間が下方開放の空隙を存して対面し且つ吸込口の下端開口縁よりも下方に延びる二重壁が吸込口に沿って形成されるので、スカート壁延長部によってもなお吸込口へ引き寄せられた水滴は、スカート壁の延長部下縁を迂回して前記空隙へと流れ込むが、ここで、その水滴を遮蔽壁に衝突、落下させることにより、その水滴のエアクリーナ内への侵入を一層確実に防止することできる。
【００１０】
その上、吸込口は、その中心に対してクリーナカバー体の中心側に向けて広がる広がり部を有して、クリーナカバー体内に向けて上方に延長される吸気筒が一体に連接されると共に、該吸気筒が、吸込口側の入口からその上端の出口に向かって徐々に絞られるので、吸込口付近での吸気の流速を遅くして雨滴などの水滴を吸込口側へ引き寄せ難くして、水滴のエアクリーナ内への侵入防止作用を助成することができる。
【発明を実施するための最良の形態】
【００１１】
以下、本発明の実施の形態を、添付図面に例示した本発明の実施例に基づいて以下に具体的に説明する。
【００１２】
この実施例は、本発明にかかるエアクリーナ構造を、汎用エンジンユニットに実施した場合でり、図１は、本発明エアクリーナ構造を備えた汎用エンジンユニットの正面図、図２は、図１の２矢視図、図３は、図２の３−３線に沿う拡大断面図、図４は、図３の４−４線に沿う断面図、図５は、図３の５−５線に沿う断面図、図６は、図３の６−６線に沿う断面図、図７は、図５の７−７線に沿う断面図、図８は、エアクリーナの分解斜視図、図９は、図８の９−９線に沿うシールパッキンの拡大平面図、図１０は、図９の１０−１０線に沿う断面図、図１１は、図３の仮想線囲い部分の拡大図である。
【００１３】
図１，２において、汎用エンジンユニットの、各種作業機の動力源となる汎用エンジンＥは、４サイクルエンジンであって、水平方向に配置されるクランク軸１を支持するクランクケース２と、このクランクケース２から斜め上方に突出したシリンダ部３とを備えており、クランクケース２の真上には、それに支持される燃料タンクＴが配置され、また、シリンダ部３の一側には、気化器４が取り付けられ、この気化器４に接続されるエアクリーナＡＣと、シリンダ部３の他側に接続される排気マフラーＭとが、燃料タンクＴの側方に並ぶようにしてシリンダ部３の真上に配置される。
【００１４】
つぎに、図１〜１１を参照して本発明にかかるエアクリーナＡＣの構造を詳細に説明する。
【００１５】
図３に最も明瞭に示すように、エアクリーナＡＣの外殻であるクリーナカバー体１０は、合成樹脂製であって、上カバー体１１と下カバー体１２とを一体に結合して構成されている。上カバー１１は、下面が開放された帽状に形成されている。また、下カバー体１２は、上下方向に長いエルボ状に形成される吸気ダクト１３と、その開口上面を閉じる隔壁１４とを備えて密閉状に形成され、上カバー体１１の開口下面に、下カバー体１２の上面が着脱可能に気密に嵌合接続される。
【００１６】
図３、４および図８に示すように、隔壁１４の中間部には、角筒状の通気通路１７が、上カバー体１１内に向けて一体に突設されており、この吸気通路１７を通して上カバー体１１内と下カバー体１２内とが相互に連通される。下カバー体１２の吸気ダクト１３の上部には、鉛直方向に延びる支持ボルト１８が固定されている。この支持ボルト１８は、前記吸気通路１７を通って上カバー体１１内を縦通し、その上端のねじ部が、該上カバー体の上壁に設けた取付孔１９を貫通してその外方に突出しており、そこにナット２０を螺締することにより、上カバー体１１は、下カバー体１２の隔壁１４上に着脱可能に固定される。
【００１７】
下カバー体１２の下端、すなわち吸気ダクト１３の下端には、エアクリーナＡＣの排出口１６が開口され、この排出口１６は、気化器４の上流端に接続されている（図６参照）。後に述べるように、前記エアクリーナＡＣは、その下カバー体１２が、前記エンジンＥのシリンダ部３に、高剛性をもって固定支持される。
【００１８】
つぎに、図２〜７を参照してこの支持構造について説明する。
【００１９】
エアクリーナＡＣは、その下カバー体１２が、エンジンＥのシリンダ部３に３点にて支持される。具体的には、図３，６に示すように、下カバー体１２の下端部分が２本の連結ボルト２２，２３によりエンジンＥのシリンダ部３に気化器４を介して２点にて支持され、また、図３，５，７に示すように、下カバー体１２の上端部分、すなわ前記隔壁１４に近い部分が１本の連結ボルト２４によりエンジンＥのシリンダ部３に直接一点にて支持されている。図６に示すように、エンジンＥのシリンダ部３のシリンダヘッド部分３Ｈには、気化器４の下流側がガスケット２５を介して接続され、さらに、この気化器４の上流側には、パッキン２６を挟んで前記下カバー体１２の下端部分が一体に接続されている。下カバー１２の下端部分は、下カバー体１２および気化器４に設けたボルト孔２７，２８を貫通してシリンダ部３のシリンダヘッド部分３Ｈに螺着した２本の通し連結ボルト２２，２３により固着される。下カバー１２のボルト孔２７には、金属製スリーブ２９が嵌合されていて連結ボルト２２，２３の締付によっても下カバー体１２が変形しないようにされている。エアクリーナＡＣの下カバー体１２に形成される吸気ダクト１３は、気化器４の吸気道３０を通ってエンジンＥの吸気ポートＥｐに連通され、通常のようにエアクリーナＡＣ内の吸気は、気化器４にて燃料と混合されたのち吸気ポートＥｐに導かれる。
【００２０】
なお、図６中、符号３２および３３は、気化器４の吸気道３０に開閉可能に設けられるチョーク弁およびスロットル弁である。
【００２１】
図３，５に示すように、エアクリーナＡＣの下カバー体１２の、前記隔壁１４に近い上端部分の、高い剛性を保有する縦壁部分３７には、筒状のボス部３８が一体に形成されている。このボス部１８には、下カバー体１２の内方、すなわちエンジンＥのシリンダ部３に向かって延びる長い有底の中空円筒孔３９が一体に形成されており、この中空円筒孔３９の奥壁には、ボルト孔４０が貫通して設けられている。そして、このボルト孔４０に対向する、シリンダ部３のシリンダヘッド部分３Ｈの壁面には、ボルトねじ孔４１が設けられ、図５に示すように、ボルト孔４０とボルトねじ孔４１は同一軸線上にある。前記ボルトねじ孔４１には、連結ボルトとしてのスタッドボルト２４が螺締される。このスタッドボルト２４は、下カバー体１２のねじ孔４０を貫通したのち、そのねじ部が中空円筒孔３９内に突出し、そのねじ部にナット４２を螺締することにより、下カバー体１２の上部は、この一本の連結ボルト２４をもってシリンダ部３のシリンダヘッド部分３Ｈに固定することができる。したがって、下カバー体１２の上部は、その剛性の高い縦壁部分３７（隔壁１４の近くにあり、かつボス部３８により補強されている）が、連結ボルト２４によりエンジンＥのシリンダ部３に堅固に固定される。
【００２２】
図５に示すように、前記２本の連結ボルト２２，２３の軸線２２ｌ，２３ｌと、スタッドボルト２４の軸線２４ｌは、相互に略平行であって、締結方向が同じであり、しかも、それら３本の連結ボルト２２，２３，２４は、いずれもエアクリーナＡＣの外側から締付・弛緩操作が可能であることから、エアクリーナＡＣのエンジンＥのシリンダ部３への操作が容易である。
【００２３】
以上のように、エアクリーナＡＣは、その下カバー体１２が３本の連結ボルト２２，２３，２４により、エンジンＥのシリンダ部３に３点にて支持固定されるので、その支持剛性を大幅に高めることができる。また、前記ボス部３８は、シリンダ部３に向かって深い中空円筒孔３９を備えており、連結ボルト２４による締付距離を短くしているので、エアクリーナＡＣを、エンジン側の取付部であるシリンダ部３に近づけて、そこに固定支持するができ、その支持剛性を一層高めることができる。
【００２４】
図３，８に示すように、エアクリーナＡＣの上カバー体１１内には、後述するクリーナエレメントユニットＵｅが着脱可能に収容される。
【００２５】
下カバー体１２の隔壁１４、すなわち、下カバー体１２の上壁の一側（図３，４右側）には、外気を取り込むための吸込口５０が開口されている。この吸込口５０は、図４に示すように、その中心５０ｃと下カバー体１２の中心１２ｃとを通る中心線ｃ−ｃに対して直交する方向に長い長孔に形成され、かつその中心５０ｃに対して下カバー体１２の中心１２ｃ側に向けて広がる広がり部５０ａを有していて、全体として広い面積に形成されている。図３に示すように、前記吸込口５０には、上カバー体１１内に向かって延びる角筒形状の吸気筒５１が一体に連接されている。この吸気筒５１は、吸気口５０側の入口からその上端の出口に向かって徐々に絞られる煙突形状に形成されている。
【００２６】
前記吸込口５０の、クリーナエレメントユニットＵｅから遠ざかる側の外側開口縁には、そこに沿って遮蔽壁５３が一体に垂下されている。この遮蔽壁５３は、図４に示すように、吸込口５０を覆うように、その吸込口５０から離間する方向に延長されたのち、吸込口５０の長手方向両端を覆うように湾曲されて上カバー体１１の内面下部に接続されている。したがって、前記遮蔽壁５３は、吸込口５０の、クリーナエレメントユニットＵｅから遠ざかる側の略半部を覆うようにされている。また図４に示されるように、前記遮蔽壁５３の一部は、前記吸気筒５１の下方延長線に沿って下方に延びている。
【００２７】
また、上カバー体１１の、吸込口５０近傍のスカート壁１１ａの下端は、吸込口５０の下端開口縁よりも下方に延長されており、その延長部は遮蔽壁５３と対面して該遮蔽壁５３と並列するように延びており、その下端は前記遮蔽壁５３の下端と略同じレベルとされている。そして、図３に示すように、前記遮蔽壁５３と、上カバー体１１のスカート壁１１ａの前記延長部とは、吸込口５０の外側開口縁の下方で相互に対面する二重壁を形成し、それらの間に下方に開放された空隙５４を形成される。
【００２８】
ところで、汎用エンジン作業機は、一般に屋外で使用することが多く、雨天の使用時には当然に、エアクリーナＡＣの上カバー１１上に落ちた雨滴は、該上カバー体１１の上面からそのスカート壁１１ａを伝わってその下端縁に達し、吸込口５０を通ってエアクリーナＡＣ内に吸い込まれることが考えられるが、この実施例によれば、雨滴のエアクリーナＡＣ内への侵入を積極的に防止する構造を備えるものであって、すなわち、
(1) 吸込口５０に近いスカート壁１１ａの下端は、吸込口５０のレベルよりも下方に延長していることにより、
吸気負圧による雨滴の吸込口５０への引き寄せを防止することができる。
【００２９】
また、(2) 吸込口５０を覆いかつ該吸込口５０よりも下方に延びる、遮蔽壁５３および上カバー体１１のスカート壁１１ａとで二重壁を形成したことにより、
前記(1) によっても、なお、吸込口５０へ引き寄せられた雨滴は、スカート壁１１ａの下縁を迂回して空隙５４へと流れ込むが、ここで、その雨滴を遮蔽壁５３に衝突させて落下させることができ、これにより、吸込口５０への雨滴の吸い込みを一層確実に防止することができる。
【００３０】
さらに、(3) 吸込口５０は、その中心５０ｃに対して上カバー体１１の中心１１ｃ側に向かって広がる広がり部５ａを備えており、かつ、吸込口５０に連接される吸気筒５１は、その入口から出口に徐々に絞られることにより、
吸気負圧は吸込口５０の近傍で弱くなり、そこでの吸気の流速を遅くして、前記(1) ，(2) による雨滴のエアクリーナＡＣ内への吸込み防止作用が助成される。
【００３１】
前記クリーナカバー体１０の上カバー体１１内には、クリーナエレメントユニットＵｅが収容支持されている。このクリーナエレメントユニットＵｅは、図３、８に示すように、全体が楕円筒状に形成されており、ペーパクリーナ６２とウレタンクリーナ６１とを積層して上下面を開放した楕円筒状に形成されるクリーナエレメント６０と、該クリーナエレメント６０の開放上下面にそこをを閉じるように取り付けられる、金属板製の上板６３および下板６４とより構成されている。上板６３に中央部には、ゴムブッシュ６５の嵌着された取付孔６６が設けられ、また下板６４の中央部には、前記隔壁１４より突設される角筒状の通気通路１７に着脱可能に嵌着される嵌合孔６７が開口される。図３に示すように、下板６４は、その嵌合孔６７が通気通路１７の外周面に嵌合されて、隔壁１４上にシールパッキン６８を挟んで着座される。そして、通気通路１７を通り、クリーナエレメント内を縦通した支持ボルト１８は、その上端のねじ部が取付孔６６のゴムブッシュ６５を貫通して外部に突出され、その突出端にナット６９を螺締することにより、クリーナエレメントユニットＵｅは、下カバー体１２の隔壁１４上にシールパッキン６８を介して着脱可能に固着される。
【００３２】
しかして、このクリーナエレメントユニットＵｅは、上カバー体１１内を、その外側の未清浄室Ｃｄと、その内側の清浄室Ｃｃとに区画しており、エンジンＥの運転によれば、外気は吸込口５０より未清浄室Ｃｄに入り、クリーナエレメント６０を通過して濾過された後、清浄室Ｃｃに入り、通気通路１７から吸気ダクト１３を経て気化器４へと導かれる。
【００３３】
隔壁１４の上面と、クリーナエレメントユニットＵｅの下板６４の下面との間には、ゴムパッキンよりなるシールパッキン６８が挟着される。このシールパッキン６８は、未清浄室Ｃｄと、清浄室Ｃｃとの間を気密にシールして、未清浄の外気が直接清浄室Ｃｃに吸い込まれるのを防止している。図９，１０，１１に示すように、前記シールパッキン６８は、四角な無端状に形成されていて角筒状の吸気通路１７の根元部分の外周面に嵌着される。前記シールパッキン６８の上シール面７１および下シール面７３の幅方向の中間部には、断面三角状の上、下リップ片７２，７４が一体の突設されており、上リップ片７２は、クリーナエレメントユニットＵｅの下板６４の下面に密接され、また、下リップ片７４は、隔壁１４の上面に密接される。また、シールパッキン６８の内周面には、その周方向に間隔をあけて複数の抜止突起板７５が、内方に向けて一体に突設されており、これらの突起７５は、吸気通路１７の外周面の根元部分に緊密に係合しており、たとえばクリーナエレメントユニットＵｅの交換や清掃などのメンテナンスを行なうべく、このクリーナエレメントユニットＵｅを吸気通路１７から抜き取ったとき、このシールパッキン６８が、クリーナエレメントユニットＵｅと共に吸気通路１7 から抜け出さないようにしている。
【００３４】
以上、本発明の一実施例について説明したが、本発明はその実施例に限定されることなく、本発明の範囲内で種々の実施例が可能である。
【００３５】
たとえば、前記実施例では、エアクリーナＡＣのクリーナカバー体１０を、上カバー体１１と下カバー体１２とより分離構成されるが、それらを一体に構成してもよい。また、クリーナカバー体１０を上カバー体１１だけで構成してもよく、その場合その開放下面は、底壁により閉じられる。
【図面の簡単な説明】
【００３６】
【図１】本発明エアクリーナ構造を備えた汎用エンジンユニットの正面図
【図２】図１の２矢視図
【図３】図２の３−３線に沿う拡大断面図
【図４】図３の４−４線に沿う断面図
【図５】図３の５−５線に沿う断面図
【図６】図３の６−６線に沿う断面図
【図７】図５の７−７線に沿う断面図
【図８】エアクリーナの分解斜視図
【図９】図８の９−９線に沿うシール１パッキンの拡大平面図
【図１０】図９の１０−１０線に沿う断面図
【図１１】図３の仮想線囲い部分の拡大図
【符号の説明】
【００３７】
１０        クリーナカバー体
１０ｃ      クリーナカバー体の中心
１１ａ      スカート壁
１６        排出口
５０        吸込口
５０ａ      広がり部
５０ｃ      吸込口の中心
５１        吸気筒
５３        遮蔽壁
５４        空隙
Ｅ          エンジン
Ｅｐ        吸気ポート
Ｕｅ        クリーナエレメントユニット
【図１】
0004430586.tif 000002
【図２】
0004430586.tif 000003
【図３】
0004430586.tif 000004
【図４】
0004430586.tif 000005
【図５】
0004430586.tif 000006
【図６】
0004430586.tif 000007
【図７】
0004430586.tif 000008
【図８】
0004430586.tif 000009
【図９】
0004430586.tif 000010
【図１０】
0004430586.tif 000011
【図１１】
0004430586.tif 000012